(57)【要約】【課題】簡単な構成で、短時間に、食品添加物の名称や重量を設定し、且つ、設定ミスを防止可能なラベルプリンタを提供する。【解決手段】ラベルプリンタは、操作入力部、表示部１５、複数の食品添加物の少なくとも名称を記憶する記憶部、および、制御部と、を有する。制御部は、記憶部に記憶された商品に関連する食品添加物の名称を複数読み出し、食品添加物の名称と対応する該食品添加物の重量を設定するための入力欄５２とを関連付けて表示部１５に表示し、操作入力部の操作に基づいて、表示部１５に表示された複数の食品添加物のうち重量が設定された入力欄５２の食品添加物の重量と名称を商品の添加物として設定記憶し、印字部により印字する処理を行う。【選択図】図５
2014008647.tif 000002
【特許請求の範囲】
【請求項１】
商品に含まれる食品添加物の名称を印字部でラベルに印字するラベルプリンタであって、
前記商品に含まれる食品添加物の設定操作を行なう操作入力部と、
前記ラベルの印字に関する画面表示を行う表示部と、
複数の食品添加物の少なくとも名称を記憶する記憶部と、
前記印字部により前記商品のラベルを印字する処理を行う制御部と、を有し、
前記制御部は、前記記憶部に記憶された前記商品に関連する食品添加物の名称を複数読み出し、前記食品添加物の名称と対応する該食品添加物の重量を設定するための入力欄とを関連付けて前記表示部に表示し、
前記操作入力部の操作に基づいて、前記表示部に表示された複数の食品添加物のうち前記重量が設定された前記入力欄の食品添加物の重量と名称を前記商品の添加物として設定記憶することを特徴とするラベルプリンタ。
【請求項２】
前記制御部は、前記設定記憶した商品の食品添加物の名称と該食品添加物の重量に基づいて、前記食品添加物の名称および重量を、該重量の昇順または降順に並び換えを行ない印字データを生成し、前記印字部により印字する処理を行うことを特徴とする請求項１に記載のラベルプリンタ。
【請求項３】
前記制御部は、前記重量が設定された前記食品添加物の名称、または、前記入力欄に設定された重量のいずれかを、前記表示部に強調表示する処理を行うことを特徴とする請求項１または請求項２に記載のラベルプリンタ。
【請求項４】
前記制御部は、前記操作入力部の入力情報に基づいて、印字対象の複数の商品を選択し、選択された印字対象の複数の前記商品の食品添加物を該食品添加物毎に重量を加算し、加算された重量の重い順に前記食品添加物の名称を並び換えた印字データを生成する処理を行うことを特徴とする請求項１から請求項３のいずれかに記載のラベルプリンタ。
【請求項５】
前記制御部は、前記記憶部に記憶されている全ての食品添加物のうち、前記商品が対象としない食品添加物の名称に関連付けられた前記入力欄の重量の設定を禁止する処理を行うことを特徴とする請求項１から請求項４のいずれかに記載のラベルプリンタ。
【発明の詳細な説明】
【技術分野】
【０００１】
本発明は、ラベルプリンタに関する。
【背景技術】
【０００２】
食品添加物の名称をラベルに印字するラベルプリンタが知られている（例えば、特許文献１参照）。
印字データの作成方法としては、ユーザがラベルプリンタの操作入力部を操作して食品毎にその食品に含まれる添加物の名称および重量をキー入力する方法、などが知られている。
【先行技術文献】
【特許文献】
【０００３】
【特許文献１】特開２００２−５９５９２号公報
【発明の概要】
【発明が解決しようとする課題】
【０００４】
しかしながら、上記特許文献１に記載のラベルプリンタでは、食品添加物の名称の入力ミス、食品添加物の重量の入力設定もれ、などの設定ミスが生じる場合がある。この場合、ラベルプリンタは、この不正確な印字データに基づいてラベルを印字する。この設定ミスにより発行されたラベルが食品や食品の包装部分に貼付された場合、顧客に間違った情報を報知する虞がある。
【０００５】
また、上記特許文献１に記載のラベルプリンタでは、食品添加物の名称や重量の設定は、画面をタッチする回数によって表示または入力の何れかに切り換える方式であるため、オペレータの画面タッチの回数間違え等により設定ミスを生じさせる虞がある。
【０００６】
本発明は、上述した問題に鑑みてなされたもので、簡単な構成で、短時間に、食品添加物の名称や重量を設定し、且つ、設定ミスを防止することができるラベルプリンタを提供すること、簡単な構成で、食品添加物の名称および重量を正しくラベルに印字することができるラベルプリンタを提供すること、などを目的とする。
【課題を解決するための手段】
【０００７】
本発明のラベルプリンタは、商品に含まれる食品添加物の名称を印字部でラベルに印字するラベルプリンタであって、前記商品に含まれる食品添加物の設定操作を行なう操作入力部と、前記ラベルの印字に関する画面表示を行う表示部と、複数の食品添加物の少なくとも名称を記憶する記憶部と、前記印字部により前記商品のラベルを印字する処理を行う制御部と、を有し、前記制御部は、前記記憶部に記憶された前記商品に関連する食品添加物の名称を複数読み出し、前記食品添加物の名称と対応する該食品添加物の重量を設定するための入力欄とを関連付けて前記表示部に表示し、前記操作入力部の操作に基づいて、前記表示部に表示された複数の食品添加物のうち前記重量が設定された前記入力欄の食品添加物の重量と名称を前記商品の添加物として設定記憶することを特徴とする。
商品に関連する食品添加物とは、その商品のカテゴリー、ジャンル、区分、分類、部門で取り扱う食品添加物群や、店舗で取り扱う商品に含まれる食品添加物群などを意味する。
【０００８】
上記本発明のラベルプリンタによれば、制御部は、記憶部に記憶された商品が対象とする食品添加物の名称を複数読み出し、前記食品添加物の名称と対応する該食品添加物の重量を設定するための入力欄とを関連付けて前記表示部に表示し、操作入力部の操作に基づいて、表示部に表示された複数の食品添加物のうち重量が設定された入力欄の食品添加物の重量と名称を商品の添加物として設定記憶し、それに基づいて印字を行うので、対象とする食品添加物の設定を短時間で設定することができ、設定ミスを低減させることができる。
【発明の効果】
【０００９】
本発明によれば、簡単な構成で、短時間に、食品添加物の名称や重量を設定し、且つ、設定ミスを防止することができるラベルプリンタを提供することができる。
また、簡単な構成で、食品添加物の名称および重量を正しくラベルに印字することができるラベルプリンタを提供することができる。
【図面の簡単な説明】
【００１０】
【図１】本発明の実施形態に係るラベルプリンタの一例を示す概略図、（ａ）はラベルプリンタの側面図、（ｂ）は（ａ）に示したラベルプリンタの要部を拡大した側面図。
【図２】本発明の実施形態に係るラベルプリンタの電気的なブロック図。
【図３】本発明の実施形態に係るラベルプリンタの記憶部に記憶されるファイルの一例を示す図、（ａ）は商品ファイルを示す図、（ｂ）は栄養成分ファイルを示す図、（ｃ）は原材料ファイルを示す図、（ｄ）は添加物ファイルを示す図。
【図４】本発明の実施形態に係るラベルプリンタの制御部の機能ブロック図。
【図５】本発明の実施形態に係るラベルプリンタの表示部に表示される食品添加物の設定画面の一例を示す図。
【図６】本発明の実施形態に係るラベルプリンタで印字されたラベルの一例を示す図、（ａ）は商品ＡＡに貼付されるラベルの一例を示す図、（ｂ）は商品ＢＢに貼付されるラベルの一例を示す図、（ｃ）は１つの商品ＡＡと１つの商品ＢＢを加算したラベルの一例を示す図。
【図７】本発明の実施形態に係るラベルプリンタの動作の一例を示すフローチャート。
【発明を実施するための形態】
【００１１】
以下、本発明の実施形態に係るラベルプリンタ１００を図面を参照しながら説明する。
【００１２】
図１は、本発明の実施形態に係るラベルプリンタ１００の一例を示す概略図、図１（ａ）はラベルプリンタ１００の側面図、図１（ｂ）は図１（ａ）に示したラベルプリンタ１００の要部を拡大した側面図である。用紙として台紙レスのラベルロールを用いたラベルプリンタ１００について説明する。
【００１３】
ラベルプリンタ１００は、ケースＡ内にロール状のラベル用紙１が回転可能に支持され、そのラベル用紙１の繰出し方向前方位置に、そのラベル用紙１の繰り出す用紙搬送手段２と印字部３及び印字後のラベル用紙１を、目的の長さのラベルＬに切断する断裁部４が配置されている。
【００１４】
ラベルプリンタ１００に装着されるラベル用紙１は、一側面が印字面で他側面が粘着面をなした帯状の感熱紙で形成された、いわゆる、台紙レスのラベルロールである。ラベル用紙１は、印字部３より下流側に配置した断裁部４で裁断され、目的の長さのラベルＬが発行される。
【００１５】
ラベル用紙１を繰り出す用紙搬送手段は、ケースＡの周壁に開設したラベル発行口近傍に配置した上下一対のローラ２ａ，２ｂからなる下流側の用紙搬送手段２と、その用紙搬送手段２より上流側に所定間隔をおいて配置した印字部３を兼ねた上流側の用紙搬送手段と、を有する。
上流側の印字部３は、ラベル用紙１の下方に位置するプラテンローラ３ａと、ラベル用紙１の上方に位置されるサーマルヘッド３ｂと、を有する。下流側の用紙搬送手段２におけるラベル用紙１の下方に配置されるローラ２ｂと印字部３のプラテンローラ３ａは、モータ５によって駆動回転するように構成されている。
【００１６】
また、用紙搬送手段２におけるラベル用紙１の上方に配置されるローラ２ａは、板バネ６で下方のローラ２ｂ側に付勢され、それによってラベル用紙１をローラ２ｂとで挟持し、駆動回転するローラ２ｂとの摩擦力でラベル用紙１が搬送されるようになっている。
【００１７】
同様に、印字部３におけるサーマルヘッド３ｂは、スプリング７でプラテンローラ３ａ側へ付勢され、印字及びラベル用紙１の搬送を安定して行うように構成されている。
【００１８】
また、上記した用紙搬送手段２の下側のローラ２ｂと印字部３のプラテンローラ３ａとは、夫々の表面に剥離剤がコーティングされており、ラベル用紙１の裏側に塗着されている粘着剤が付着しないように構成され、ラベル用紙１の搬送が円滑に行われるようになっている。
尚、ローラ２ｂとプラテンローラ３ａのラベル用紙１との接着防止は上述した形態に限らず、例えばローラ２ｂ及びプラテンローラ３ａ自体又は最外周部分を易剥離性の部材で構成してもよい。
【００１９】
用紙搬送手段２における下側のローラ２ｂと印字部３のプラテンローラ３ａを駆動させる駆動機構８は、図１（ｂ）に示したように、ステッピングモータ５の回転軸に取り付けたプーリ８ａの回転を小プーリ８ｂと同軸の大プーリ８ｃにベルト８ｄを介して伝達し、その大プーリ８ｃの回転はローラ２ｂに固着したプーリ（図示省略）とプラテンローラ３ａに固着したプーリ（図示省略）にベルト（図示省略）を介して伝達されるように構成されている。
【００２０】
また、用紙搬送手段２におけるローラ２ａと印字部３のサーマルヘッド３ｂは器枠１０に取り付けられている。この器枠１０は、軸９を中心として上下方向に起伏回動自在となるように構成されている。
【００２１】
ラベルプリンタ１００は、器枠１０を軸９を中心として上方に回動することで、ローラ２ａがローラ２ｂから離間するとともに、サーマルヘッド３ｂがプラテンローラ３ａから離間することで、ラベル用紙１のセットを容易に行うことができるように構成されている。
【００２２】
上述した用紙搬送手段２と印字部３との間には、用紙搬送手段２と印字部３とで水平状態に支持されるラベル用紙１を、目的の長さのラベルに切断する断裁部４が設置されている。
【００２３】
断裁部４は、ラベル用紙１を挟んで上下に配置した一対の切断刃４ａ，４ｂを有する。断裁部４は、切断刃４ａと切断刃４ｂの一方、または、切断刃４ａ，４ｂの両方を上下移動させてラベル用紙１を裁断する。
【００２４】
上記ラベルプリンタ１００は、例えば、専門菓子店（和菓子店・洋菓子店・ドーナツ販売店、アイスクリーム販売店、煎餅店等）で小売するといった形態の店舗で使用されるＰＯＳレジスタのレジ台の上に載置できるコンパクトサイズに構成される。このラベルプリンタ１００は、ＰＯＳレジスタから印刷指示を受けて、その印刷指示に基づいてラベルＬを印字発行する。
【００２５】
また、ラベルプリンタ１００において、ラベル用紙（ラベルロール）の交換は、ドロップイン（自動フィード・オートカット）仕様、或いは手動セット仕様の何れでもよい。
【００２６】
図２は本発明の実施形態に係るラベルプリンタ１００の電気的なブロック図である。
ラベルプリンタ１００は、制御部（ＣＰＵ）１１と、ＲＯＭ１２と、ＲＡＭ１３と、操作入力部１４と、表示部１５と、インタフェース（Ｉ／Ｆ）１６と、印字部３と、断裁部４と、通信部１７と、を有する。
【００２７】
制御部１１にバス（伝送路）を介してＲＯＭ１２、ＲＡＭ１３、操作入力部１４、表示部（タッチパネル）１５が電気的に接続され、さらに制御部１１にバスおよびデータの入出力を行うインタフェース１６を介して印字部３、断裁部４、通信部１７が電気的に接続されている。
【００２８】
制御部１１は、ラベルプリンタ１００の各構成要素を統括的に制御する。制御部１１は、制御プログラムを実行することにより、コンピュータとしてのラベルプリンタ１００に、後述する各機能を実現する。
【００２９】
ＲＯＭ１２は、制御プログラムを記憶している。この制御プログラムは、ラベルプリンタ１００の起動時に、制御部１１によって制御プログラムがロードされる。
【００３０】
ＲＡＭ１３は、印字データとして商品ファイル（商品記憶手段）、栄養成分ファイル（栄養成分記憶手段）、原材料ファイル（原材料記憶手段）、添加物ファイル（添加物記憶手段）等、及び各種印字フォーマットを格納する。印字フォーマットは、前記各ファイルに記憶する情報をどの印字項目のどこに印字するかということを指示できるように構成されている。
【００３１】
操作入力部１４は、商品番号等の印字するデータや印字フォーマットデータ等を入力、設定或いは呼び出すための操作部であり、テンキー及び各種の操作キー、タッチパネルなどで構成されている。
【００３２】
表示部１５は、液晶表示パネルや有機ＥＬパネルなどであり、制御部１１により、ラベルの印字に関する画面表示を行う。この表示部１５の前面側には、操作入力部１４としてのタッチパネルが設けられている。タッチパネルは、表示部１５により画像等を用いたプリセットキーにタッチすることにより印刷を指示できるタッチパネル表示部で、例えば、４インチタッチパネルで構成されている。
ユーザは、表示部１５を参照しながら、ラベルに印字する文字列を操作入力部１４により印字データとして入力する。
【００３３】
印字部３は、サーマルヘッド等によりラベル用紙１に発色印字する印字部である。
断裁部４は、ラベル用紙１に印字された部分（ラベルＬ）を印字量に応じて裁断する。
【００３４】
通信部１７は、上位管理装置（例えばＰＯＳレジスタまたはパソコン等）から、商品ファイルおよび栄養成分、原材料、添加物等の情報を、指定の印字フォーマットに組み合わせた印字指示を通信により受信する。通信部１７は、有線式または無線式の通信路を介して上位管理装置と通信を行う。
【００３５】
次に、記憶部としてのＲＡＭ１３に格納されている商品ファイル、栄養成分ファイル、原材料ファイル、添加物の一覧データとしての添加物ファイルについて説明する。
図３は、ラベルプリンタ１００の記憶部としてのＲＡＭ１３に記憶されているファイルの一例を示す図であり、詳細には図３（ａ）は商品ファイルを示す図、図３（ｂ）は栄養成分ファイルの一例を示す図、図３（ｃ）は原材料ファイルの一例を示す図、図３（ｄ）は食品添加物の名称の一覧データとしての添加物ファイルの一例を示す図である。
【００３６】
図３（ａ）、図３（ｂ）、図３（ｃ）、図３（ｄ）に示した各ファイルは、食品の識別情報をプライマリー（ｐｒｉｍａｒｙ）、原材料コードまたは添加物コードまたは栄養成分コードをセカンダリー（ｓｅｃｏｎｄａｒｙ）のキー（索引）或いはリレーション（ｒｅｌａｔｉｏｎ）構造であり、それぞれのファイルが記憶管理する情報をそのままの状態で一つのファイルに移行し記憶管理することができる構造を有する。
【００３７】
各ファイルが独立記憶するデータ同士を対応付ける方法は、いずれかのファイルに記憶する対象データへ対応付けたい識別情報を設定記憶させる（リンク付ける）ことにより、独立する各ファイルに記憶させたデータ同士を紐づけることが可能となる。これにより、別途、構成情報（組合わせ）ファイルを記憶させておくことなく、必要最小限のファイル構成によりデータを有効に活用することができる。
【００３８】
商品ファイルは、図３（ａ）に示すように、食品毎に食品を識別分類する分類情報、識別情報、名称、値段、内容量等の項目が設定されている。
栄養成分ファイルは、図３（ｂ）に示すように、食品を表す識別情報及び食品を識別分類する分類情報、栄養成分コード、栄養成分名（例えば、たんぱく質、炭水化物、脂質、ビタミンＡ、ビタミンＣ等）、栄養成分量、基準量等の項目で構成され、前記商品ファイルとは食品を識別分類する分類情報、識別情報で紐付けされている。前記基準量は、各栄養成分について１日の必要摂取量の目安を表す。
原材料ファイルは、図３（ｃ）に示すように、食品を識別分類する分類情報、識別情報、原材料コード、原材料名（例えば、強力粉、牛乳、黄卵等）、含有量等の項目で構成され、前記商品ファイル、栄養成分ファイルとは識別情報で紐付けされている。
添加物ファイルは、図３（ｄ）に示すように、食品を識別分類する分類情報、識別情報、添加物コード、添加物名（例えば、アミノ酸、着色料等）等の項目で構成され、商品ファイル、栄養成分ファイル、原材料ファイルとは食品を識別分類する分類情報、識別情報で紐付けされている。
【００３９】
本実施形態では、ＲＡＭ１３などの記憶部で、商品ファイル、栄養成分ファイル、原材料ファイル、添加物ファイルを、それぞれ独立したファイルで記憶管理する方式を示しているが、これに限られるものでもない。例えば、商品ファイル、栄養成分ファイル、原材料ファイル、添加物ファイルで記憶する情報を一つのファイルで記憶管理してもよい。
【００４０】
ＲＡＭ１３が記憶するファイルの構造としては、関係データベース（リレーショナルデータベース、ＳＱＬ）が望ましいが、ＸＭＬデータベースファイル、インデックスファイル等で記憶管理してもよい。尚、ＸＭＬデータベースは、多くの異なる項目を含んだ多様なデータを扱う場合や、後から項目の追加等の仕様変更が予想される場合等に適している。
【００４１】
図４は本発明の実施形態に係るラベルプリンタ１００の制御部１１の機能ブロック図である。図５は本発明の実施形態に係るラベルプリンタ１００の表示部１５に表示される食品添加物の設定画面の一例を示す図である。図６はラベルプリンタ１００で印字されたラベルの一例を示す図であり、詳細には図６（ａ）は商品ＡＡに貼付されるラベルの一例を示す図、図６（ｂ）は商品ＢＢに貼付されるラベルの一例を示す図、図６（ｃ）は１個の商品ＡＡと１個の商品ＢＢを含む商品に貼付される加算ラベルの一例を示す図である。
【００４２】
制御部１１は、制御プログラムを実行することにより、コンピュータとしてのラベルプリンタ１００に、後述する各機能を実現する。詳細には、図４に示したように、ラベルプリンタ１００の制御部１１は、一覧表示処理部２１と、重量設定部２２と、強調表示処理部２３と、不使用添加物設定処理部２４と、抽出部２５と、複数商品選択部２６と、加算部２７と、並び換え処理部２８と、印字処理部２９と、などを有する。
【００４３】
一覧表示処理部２１は、記憶部としてのＲＡＭ１３に記憶された食品添加物の名称の一覧データ１３１のうち、設定対象とする食品の識別分類する分類情報に基づき読み出し、図５に示したように、食品添加物の名称５１と、その食品添加物の重量を入力するための入力欄５２とを関連付けて表示部１５に表示する処理を行う。
【００４４】
また、図５に示したように、制御部１１は、表示部１５に、「商品番号」および「商品番号入力欄」、「単価」および「単価入力欄」、「風袋」および「風袋の重量入力欄」、「ラベルサイズ」、「添加物」設定ボタン、「スペシャルメッセージ番号」および「番号入力欄」、「個体識別番号印字のなし又はあり」、「バー体系」、「ＦＦ」および「入力欄」、などの各種設定項目を並べた構成の設定画面を表示する処理を行う。制御部１１は、タッチパネルとしての操作入力部１４により入力された操作情報に基づいて、各種設定を行う。
【００４５】
また、制御部１１は、図５に示したように、食品添加物の設定ボタンを示す「添加物」５０の表示位置をタップ（接触）されたことをタッチパネルで検出した場合、表示部１５の表示画面右側に、食品添加物の名称の一覧データ１３１に基づいて、食品添加物の名称５１と、その食品添加物の重量を設定または入力するための入力欄５２と、その重量の単位表示ボタン５３とを関連付けて表示する処理を行う。
【００４６】
制御部１１は、食品添加物の設定時、記憶部としてのＲＡＭ１３に記憶された全ての食品添加物の名称の一覧データ１３１を読み出し、全ての食品添加物の名称の一覧を表示してもよい。
また、記憶部に記憶された全ての食品添加物の名称の表示に要する大きさが、表示部１５の表示範囲よりも大きい場合、制御部１１は、複数の食品添加物の名称５１および入力欄５２などを、表示部１５に表示できる個数ずつ複数のブロックに分け、タッチパネルなどの操作入力部１４の操作情報に応じて、各ブロックを切り換えて表示部１５に表示してもよい。
【００４７】
制御部１１は、図５に示したように、表示部１５の設定画面の上部に、「前」ボタン５５、「次」ボタン５６、「終了」ボタン５７を表示する処理を行い、各ボタンの表示位置をタップ（接触）されたことをタッチパネルで検出した場合、それぞれ、前のブロックの食品添加物の名称５１および入力欄５２などを表示する処理、次のブロックの食品添加物の名称５１および入力欄５２などを表示する処理、食品添加物に関する設定を終了する処理、を行う。
【００４８】
尚、上記実施形態では、各ブロックを切り換えて食品添加物の名称５１および入力欄５２などを切り換えて表示部１５に表示したが、この形態に限られるものではない。例えば、制御部１１は、複数の食品添加物の名称５１および入力欄５２などの表示内容の大きさが、表示部１５の表示範囲を超えた場合、複数の食品添加物の名称５１および入力欄５２などをスクロール表示により表示してもよい。
【００４９】
図４、図５に示したように、重量設定部２２は、操作入力部１４の操作情報に基づいて、表示部１５に表示された入力欄５２に、その入力欄５２に関連付けて表示された食品添加物の重量を入力設定する。詳細には、タッチパネルなどの操作入力部１４によりタップ（接触）された食品添加物を検出した場合、その対象とする食品添加物の入力欄５２の表示位置で、操作入力部１４からの操作情報に基づいて、制御部１１は、その商品に含まれている添加物の重量を設定する。
なお、前記食品添加物の重量は、食品添加物毎に予め規定する重量を名称と共に記憶させておき、商品毎の食品添加物の設定時の一覧データの入力欄に、図示していない要または不要等のフラグ設定を行なうボタン等を設け設定するものであってもよい。この場合、前記食品添加物の重量が設定されたか否かの判定は、例えば、フラグが要である場合は設定されている判定を行ない、フラグの設定が不要である場合は食品添加物が設定されていない判定がなされるようにしてもよい。
また、食品添加物の重量設定が商品毎に異なる場合には、各食品添加物の重量を「重量設定無し」を含み予め規定する重量を複数記憶させておき、その商品の食品添加物の設定時に前記複数記憶する重量候補の中より対象とする重量を選択し設定させる方式であってもよい。この場合、入力設定されたか否かの判断は、一つ前に設定されていた重量と現在の設定された重量が異なっているか否かで設定がなされたか否かを判定するようにしてもよい。こうすることにより、オペレータによる入力間違え等を無くすことができるという効果を奏する。
【００５０】
強調表示処理部２３は、重量設定部２２により重量を入力設定した入力欄５２、その入力欄５２に関連付けられた食品添加物の名称５１、入力欄５２に入力された重量のいずれか、または全てを、表示部１５に強調表示する処理を行う。また、制御部１１は、重量を入力設定されていない入力欄５２、それに関連付けられた名称５１などについては、強調表示しない。強調表示処理は、例えば、フォントの色を目立つ色に設定する、フォントサイズを大きくする、網掛け表示を行う、太字に設定する、太枠で囲む、などの表示処理を挙げることができる。具体的には、強調表示処理部２３は、例えば、図５に示したように、重量を入力設定した入力欄５２、その入力欄５２に関連付けられた食品添加物の名称５１、入力欄５２に入力された重量を、太枠５０１で囲むように表示部１５に表示する処理を行う。
【００５１】
不使用添加物設定処理部２４は、ＲＡＭ１３などの記憶部に記憶されている全ての食品添加物の名称のうち対象としない食品添加物に対して、食品添加物の名称５１に関連付けられた入力欄５２への重量の入力設定を禁止する処理を行う。
詳細には、不使用添加物設定処理部２４は、例えば、図５に示したように、使用又は設定することを禁止された食品添加物の入力欄５２、重量の単位表示ボタン５３などに、重量設定の設定禁止を示すマーク「Ｘ」５４などを表示部１５に表示して、食品添加物への重量設定を禁止する処理を行う方法や、当該食品が対象としない食品を識別分類する分類情報に基づき、対象としない食品添加物の入力欄５２、重量の単位表示ボタン５３などに、重量設定の設定禁止を示すマーク「Ｘ」５４などを表示部１５に表示させるようにしてもよい。
【００５２】
抽出部２５は、食品添加物の名称の一覧データ１３１のうち、表示部１５に表示された入力欄５２において、重量を入力設定した入力欄５２に関連付けられた食品添加物の名称５１およびその食品添加物の入力欄５２に設定され重量を抽出する処理を行う。
また、詳細には、抽出部２５は、食品添加物の名称の一覧データ１３１のうち、表示部１５に表示された入力欄５２において、重量を入力設定していない入力欄５２に関連付けられた食品添加物の名称５１を除いて、重量を入力設定した入力欄５２に関連付けられた食品添加物の名称５１およびその食品添加物の重量のみを抽出する処理を行う。また、抽出部２５は、０ｍｇの重量に設定された食品添加物の名称についても除外する処理を行う。
【００５３】
複数商品選択部２６は、例えば、ラベルの貼付対象としての包装容器（パッケージ）内に複数の商品を収容する場合、操作入力部１４の操作情報に基づいて、印字対象の上記複数の商品を選択する。
【００５４】
加算部２７は、操作入力部１４の操作情報に基づいて、印字対象の複数の商品の食品添加物毎の重量を加算する処理を行う。
【００５５】
並び換え処理部２８は、抽出部２５により抽出された食品添加物の名称５１および入力欄５２に入力された重量に基づいて、重量の重い順（降順）に食品添加物の名称５１を並び換えた印字データ１３２を生成する。また、並び換え処理部２８は、食品添加物の名称５１とその食品添加物の重量とを関連づけて印字データ１３２を生成してもよい。
【００５６】
並び換え処理部２８は、複数商品選択部２６により複数の商品が選択された場合、その選択された複数の商品に含まれる食品添加物毎に加算された重量に基づいて、その加算された重量の重い順（降順）に食品添加物の名称５１を並び換えた印字データ１３２を生成する処理を行う。この際、制御部１１は、並び換えた（ソートした）食品添加物の名称５１と重量とを関連付けて印字データを生成してもよい。
【００５７】
印字処理部２９は、印字データに基づいて、印字部３により、商品に含まれる食品添加物の名称を、食品添加物の重量が重い順にラベルに印字する処理を行う。その際、印字処理部２９は、印字部３により、商品に含まれる食品添加物の名称および重量をラベルに印字する処理を行ってもよい。また、印字処理部２９は、印字部３により、商品に含まれる食品添加物の名称および重量と、他の商品情報とともにラベルに印字する処理を行ってもよい。
【００５８】
印字処理部２９は、例えば、図６（ａ）、図６（ｂ）に示したように、商品ＡＡ、商品ＢＢについて、食品添加物の名称とその食品添加物の重量とを関連付けて、重量の重い順に並べてラベルに印字する処理を行う。
【００５９】
印字処理部２９は、上述したように、複数の商品が選択された場合、その商品の添加物毎に加算された重量に基づいて、重量の重い順に食品添加物の名称を並び換えて印字処理を行ってもよい。
例えば、印字処理部２９は、一個の商品ＡＡと一個の商品ＢＢを収容した包装容器に貼付するラベルを作製する場合、図６（ｃ）に示したように、一個の商品ＡＡと一個の商品ＢＢとに含まれる食品添加物の名称と各食品添加物の加算された重量とを関連付けて、重量の重い順に並べてラベルに印字する処理を行う。
なお、前記食品添加物の重量の並び換えは、重量の重い順（降順）に限らず、重量の軽い順（昇順）であってもよい。この場合、並び換え処理部２８による重量の重い順（降順）、または、重量の軽い順（昇順）の並び換えは、ラベルプリンタに予め設定された並び換え情報に基づいて実行するようにしてもよいし、オペレータがタッチパネルまたは入力部の操作により、商品添加物の重量を降順あるいは昇順の何れかに並び換える切り換えを行なうようにしてもよい。
また、印字処理部２９は、前記切り換え設定に基づき並び替えがなされた食品添加物の重量順（降順または昇順）で食品添加物の印字を行なう。
【００６０】
図７は本発明の実施形態に係るラベルプリンタ１００の動作の一例を示すフローチャートである。図７を参照しながら、ラベルプリンタ１００の動作の一例を説明する。
【００６１】
ステップＳ１１において、制御部１１は、記憶部としてのＲＡＭ１３から、食品添加物の一覧データ１３１としての添加物ファイルを読み出し、食品添加物の名称５１と、重量の入力欄５２とを関連付けて表示部１５に表示する処理を行う。
【００６２】
ステップＳ１３において、制御部１１は、操作入力部１４からの操作情報に基づいて、編集モードか否かを判断し、編集モードの場合、ステップＳ１５の処理に進み、それ以外の場合、ステップＳ１７の処理に進む。
【００６３】
ステップＳ１５において、制御部１１は、編集モードの場合、食品添加物リスト中、使用禁止の食品添加物の項目について、重量の数値の入力を禁止する処理を行い、ステップＳ１３の処理に進む。
【００６４】
ステップＳ１７において、制御部１１は、操作入力部１４からの操作情報に基づいて、表示部１５に表示された入力欄５２に、その入力欄５２に関連付けて表示された食品添加物の重量を入力設定する処理を行う。
【００６５】
ステップＳ１９において、制御部１１は、入力欄５２に重量が入力設定された食品添加物の名称５１、重量を入力設定した入力欄５２、入力欄５２に入力された重量など、または、それらを太枠で囲む処理など、強調表示する処理を行う。
【００６６】
ステップＳ２１において、制御部１１は、操作入力部１４からの操作情報に基づいて、食品添加物の設定入力が終了したか否かを判断し、終了したと判断した場合、ステップＳ２３の処理に進み、それ以外の場合、ステップＳ１３の処理に進む。
詳細には、制御部１１は、「終了」ボタン５７がタップされたか否かにより、上記食品添加物の設定入力が終了したか否かを判断する。
【００６７】
次に、ステップＳ２３において、制御部１１は、操作入力部１４からの操作情報に基づいて、印字対象の商品を選択する。
【００６８】
ステップＳ２５において、制御部１１は、印字対象の商品が単品か複数の商品か、詳細には、印字対象が複数の商品を収容している包装容器か否かを判断し、印字対象の商品が単品の場合、ステップＳ２７の処理に進み、印字対象が複数の商品を収容している包装容器の場合、ステップＳ３３の処理に進む。
【００６９】
ステップＳ２７において、制御部１１は、食品添加物の名称の一覧データのうち、表示部１５に表示された入力欄５２において、重量を入力設定していない入力欄５２に関連付けられた食品添加物の名称５１を除いて、重量を入力設定した入力欄５２に関連付けられた食品添加物の名称５１およびその食品添加物の重量のみを抽出する処理を行う。
【００７０】
ステップＳ２９において、制御部１１は、抽出部２５により抽出された食品添加物の名称５１および入力欄５２に入力された重量に基づいて、重量の重い順に食品添加物の名称５１を並び換えて（ソートして）、印字データ１３２を生成する。本実施形態では、制御部１１は、食品添加物の名称５１とその食品添加物の重量とを関連づけて印字データ１３２を生成する。
【００７１】
ステップＳ３１において、制御部１１は、印字データ１３２に基づいて、印字部３により、商品に含まれる食品添加物の名称を、食品添加物の重量が重い順にラベルに印字する処理を行う。その際、図６（ａ）、図６（ｂ）に示したように、印字処理部２９は、印字部３により、商品に含まれる食品添加物の名称５１および重量などをラベルに印字する処理を行ってもよい。
制御部１１は、印字されたラベル用紙１を、断裁部４により目的の長さに切断して、所望のラベルを生成する。
【００７２】
ステップＳ３３において、制御部１１は、ラベルの貼付対象としての包装容器（パッケージ）内に複数の商品を収容する場合、操作入力部１４の操作情報に基づいて、選択された複数の商品の食品添加物毎の重量を加算する処理を行う。
【００７３】
ステップＳ３５において、制御部１１は、複数の商品に関し、食品添加物毎に加算された重量と、その重量に関連付けられた食品添加物の名称を抽出する処理を行う。その際、制御部１１は、０ｍｇの加算重量である食品添加物の名称５１について除外する処理を行う。
尚、ステップＳ３３とステップＳ３５の順番は、逆であってもよい。
【００７４】
ステップＳ３７において、制御部１１は、複数の商品に含まれる食品添加物毎に加算された重量に基づいて、その加算された重量の重い順に食品添加物の名称５１を並び換えた印字データ１３２を生成する処理を行う。この際、制御部１１は、並び換えた（ソートした）食品添加物の名称５１と重量とを関連付けて印字データ１３２を生成してもよい。
【００７５】
ステップＳ３９において、制御部１１は、印字データ１３２に基づいて、複数の商品に含まれる食品添加物の名称５１を、食品添加物の加算した重量が重い順にラベルに印字する処理を行う。その際、図６（ｃ）に示したように、印字処理部２９は、印字部３により、商品に含まれる食品添加物の名称５１および重量などをラベルに印字する処理を行ってもよい。
制御部１１は、印字されたラベル用紙１を、断裁部４により目的の長さに切断して、所望のラベルを生成する。
【００７６】
以上、説明したように、本発明の実施形態に係るラベルプリンタ１００は、商品に含まれる食品添加物の名称を印字部３でラベル用紙に印字して、断裁部４により所定の長さに断裁してラベルを作成する。
詳細には、ラベルプリンタ１００は、商品に含まれる食品添加物の設定操作を行なう、タッチパネルなどの操作入力部１４と、ラベルの印字に関する画面表示を行う表示部１５と、複数の食品添加物の少なくとも名称を記憶するＲＡＭ１３などの記憶部と、印字部３により商品のラベルを印字する処理を行う制御部（ＣＰＵ）１１と、を有する。制御部１１は、記憶部に記憶された商品に関連する食品添加物の名称を複数読み出し、食品添加物の名称と対応する該食品添加物の重量を設定するための入力欄５２とを関連付けて表示部１５に表示し、操作入力部１４の操作に基づいて、表示部１５に表示された複数の食品添加物のうち重量が設定された入力欄５２の食品添加物の重量と名称を商品の添加物として記憶部に設定記憶し、それに基づいて印字データ１３２を生成し、印字データ１３２に応じて印字部３によりラベルに印字処理を行う。
商品に関連する食品添加物とは、その商品のカテゴリー、ジャンル、区分、分類、部門で取り扱う食品添加物群や、店舗で取り扱う商品に含まれる食品添加物群などを意味する。
このように、上述した制御部１１の処理により、簡単な構成で、短時間に、食品添加物の名称や重量を設定し、且つ、設定ミスを防止することができるラベルプリンタ１００を提供することができる。
【００７７】
また、本発明の実施形態に係るラベルプリンタ１００は、制御部１１が、設定記憶した商品の食品添加物の名称と該食品添加物の重量に基づいて、食品添加物の名称および重量を、該重量の昇順または降順に並び換えを行ない印字データを生成し、前記印字部により印字する処理を行うので、簡単な構成で、食品添加物の名称および重量を正しくラベルに印字することができるラベルプリンタ１００を提供することができる。
【００７８】
また、ラベルプリンタ１００は、タッチパネルなどの操作入力部１４と、ラベルの印字に関する画面表示を行う表示部１５と、予め規定された複数の食品添加物の名称の一覧データ１３１を記憶するＲＡＭ１３などの記憶部と、操作入力部１４からの操作情報、および、食品添加物の名称の一覧データ１３１に基づいて印字データ１３２を生成し、印字データ１３２に応じて印字部３によりラベルに印字処理を行う制御部（ＣＰＵ）１１と、を有する。
このように、制御部１１が、操作入力部１４からの操作情報、および、食品添加物の名称の一覧データ１３１に基づいて、食品添加物の名称をラベルに印字することができ、簡単な構成のラベルプリンタ１００を提供することができる。
【００７９】
具体的には、ラベルプリンタ１００の制御部１１は、ＲＡＭ１３などの記憶部に記憶された全ての食品添加物の名称の一覧データ１３１を読み出し、その一覧データ１３１に基づいて、食品添加物の名称と、その食品添加物の重量を入力するための入力欄５２とを関連付けて表示部１５に表示する処理を行う一覧表示処理部２１と、操作入力部１４の操作情報に基づいて、表示部１５に表示された入力欄５２に、その入力欄５２に関連付けて表示された食品添加物の重量を入力設定する重量設定部２２と、食品添加物の名称の一覧データのうち、食品添加物の重量が設定された食品添加物の名称および該食品添加物の重量を抽出する抽出部２５と、抽出部２５により抽出された食品添加物の名称および重量に基づいて、重量の重い順に食品添加物の名称を並び換えた印字データ１３２を生成する並び換え処理部２８と、印字データ１３２に応じて印字部３によりラベルに印字処理を行う印字処理部２９と、を有する。
【００８０】
上述したように、本発明の実施形態に係るラベルプリンタ１００の制御部１１は、ＲＡＭ１３などの記憶部に記憶された全ての食品添加物の名称の一覧データ１３１を読み出し、その一覧データ１３１に基づいて、食品添加物の名称と、その食品添加物の重量を入力するための入力欄５２とを関連付けて表示部１５に表示する処理を行い、操作入力部１４の操作情報に基づいて、表示部１５に表示された入力欄５２に、その入力欄５２に関連付けて表示された食品添加物の重量を入力設定し、食品添加物の名称の一覧データのうち、食品添加物の重量が設定された食品添加物の名称および該食品添加物の重量を抽出し、抽出した食品添加物の名称および重量に基づいて、重量の重い順に食品添加物の名称を並び換え、印字部３によりラベルに印字処理を行う。
【００８１】
ユーザは、ラベルプリンタ１００の操作入力部１４を操作して、表示部１５に一覧表示されている食品添加物の名称５１を見て、商品に含まれる食品添加物の名称５１に関連付けられた入力欄５２に重量を入力し、その商品に含まれていない食品添加物の名称５１に関連付けられた入力欄５２に、重量の入力を行わない、または、０ｍｇ（０ｇ）を入力設定し、終了ボタン５７をタップする。ラベルプリンタ１００は、上述した処理を行い、添加物の重量の重い順に食品添加物の名称（必要に応じて重量）を並び換え、印字部３によりラベルに印字処理を行う。
このように、本発明の実施形態に係るラベルプリンタ１００では、ユーザは、食品添加物の名称を入力するという煩雑な操作を行う必要がない。
【００８２】
また、ラベルプリンタ１００の記憶部には、予め設定された複数の商品に含まれる全ての食品添加物の名称の一覧が記憶されている。また、表示部１５には、予め設定された複数の商品に含まれる全ての食品添加物の名称の一覧が表示され、必要に応じてブロック切り換え表示され、スクロール表示される。
【００８３】
ユーザは、所定商品に関して、食品添加物の名称および重量を設定する場合、表示部１５には、その商品に含まれる食品添加物の名称５１と、商品に含まれない食品添加物の名称５１とが表示されているが、その表示された食品添加物の名称５１の一覧の中から、その商品に含まれる食品添加物の名称５１に関連付けられた入力欄５２にのみ、重量を示す数値入力する。
このように、食品添加物の名称を追加していく装置と比較して、本発明の実施形態に係るラベルプリンタ１００は、予め設定された複数の商品に含まれる食品添加物の名称５１の一覧の中から、所望の商品に含まれる食品添加物の名称５１に関連付けられた入力欄５２にのみ重量を入力設定するだけでよく、食品添加物の重量の設定漏れが低い。
【００８４】
例えば、記憶部に、所定の分野（食品を識別分類する分類情報）で取り扱う全ての商品、所定の部門（食品を識別分類する分類情報）で取り扱う全ての商品、所定の店舗（食品を識別分類する分類情報）で取り扱う全ての商品、などに含まれる全ての食品添加物の名称を予め記憶しておくことが好ましい。こうすることで、ユーザは、新たに食品添加物の名称を追加することなく、一覧表示された食品添加物の名称に関連付けられた複数の入力欄の内から、設定対象（食品を識別分類する分類情報）の所望の商品に含まれる食品添加物の重量を入力するだけで、食品添加物の設定を行うことができ、設定漏れが少ない。
【００８５】
また、本発明の実施形態に係るラベルプリンタ１００は、抽出部２５が、食品添加物の名称の一覧データのうち、表示部１５に表示された入力欄５２において、重量を入力設定していない入力欄５２に関連付けられた食品添加物の名称５１を除いて、重量を入力設定した入力欄５２に関連付けられた食品添加物の名称５１および該食品添加物の重量のみを抽出する。
すなわち、簡単な構成で、短時間に、食品添加物の名称や重量を設定し、且つ、設定ミスを防止することができるラベルプリンタ１００を提供することができる。
【００８６】
また、本発明の実施形態に係るラベルプリンタ１００は、制御部１１が、食品添加物の名称５１と該食品添加物の重量とを関連づけて印字データ１３２を生成し、その印字データ１３２に基づいて、印字部３により食品添加物の名称および重量を、該重量が重い順に印字する処理を行う。
すなわち、簡単な構成で、食品添加物の名称および重量を、該重量が重い順に印字することができるラベルプリンタ１００を提供することができる。
【００８７】
また、本発明の実施形態に係るラベルプリンタ１００は、制御部１１が、重量を入力設定した入力欄５２、該入力欄５２に関連付けられた食品添加物の名称５１、または、入力欄５２に入力された重量のいずれかを、表示部１５に強調表示する処理を行う。
このため、食品添加物の名称や重量の設定漏れの少ないラベルプリンタ１００を提供することができる。
【００８８】
また、本発明の実施形態に係るラベルプリンタ１００は、制御部１１が、操作入力部１４の操作情報に基づいて、印字対象の複数の商品を選択し、選択された印字対象の複数の商品の食品添加物毎の重量を加算し、加算された重量の重い順に食品添加物の名称を並び換えた印字データを生成する処理を行い、その加算された重量の重い順に食品添加物の名称（必要に応じて重量を関連付けて）をラベルに印字することができる。
【００８９】
また、本発明の実施形態に係るラベルプリンタ１００は、制御部１１が、ＲＡＭ１３などの記憶部に記憶されている全ての食品添加物の名称のうち、操作入力部１４により入力された、使用を禁止された食品添加物を示す操作情報に基づいて、使用を禁止された食品添加物の名称に関連付けられた入力欄５２への重量の入力設定を禁止する処理を行う。
すなわち、簡単な構成により、使用を禁止された食品添加物をラベルに印字することを防止することができるラベルプリンタ１００を提供することができる。
【００９０】
尚、上記実施形態では、ＲＡＭ１３などの記憶部から、全ての食品添加物の名称の一覧データを読み出し、その一覧データに基づいて、食品添加物の名称と、その食品添加物の重量を入力するための入力欄５２と、を関連付けて表示部１５に表示し、操作入力部１４の操作情報に基づいて、食品添加物の重量を入力欄５２に入力設定し、その入力欄５２に入力された重量とその入力欄５２に関連付けられた食品添加物の名称とを抽出し、重量の重い順に食品添加物の名称を並び換えてラベルに印字したが、この形態に限られるものではない。例えば、食品添加物の重量の並び換えは、重量の重い順（降順）に限らず、重量の軽い順（昇順）であってもよい。この場合、並び換え処理部２８による重量の重い順（降順）、または、重量の軽い順（昇順）の並び換えは、ラベルプリンタに予め設定された並び換え情報に基づいて実行するようにしてもよいし、オペレータがタッチパネルまたは入力部の操作により、商品添加物の重量を降順あるいは昇順の何れかに切り換えを行なうようにしてもよい。
また、印字処理部２９は、前記切り換え設定に基づき並び替えがなされた食品添加物の重量順（降順または昇順）で食品添加物の印字を行なう。
【００９１】
ラベルプリンタ１００は、例えば、ＲＡＭ１３などの記憶部から、食品添加物の名称の一覧データを読み出し、その一覧データに基づいて、表示部１５に食品添加物の名称を表示し、操作入力部１４からの操作情報に基づいて、食品添加物の名称毎に、ラベル印字の要または不要を示すフラグを設定し、印字の要を示すフラグに関連付けられた食品添加物の名称を、ラベルに印字してもよい。
【００９２】
なお、上記実施形態では、ラベルプリンタ１００は、商品に含まれる食品添加物の名称およびその重量の設定を行ったが、この形態に限られるものではない。ラベルプリンタ１００は、例えば、商品の原材料の名称および重量の設定を行ってもよい。
【００９３】
また、本発明の実施形態に係るラベルプリンタ１００は、ＲＡＭ１３などの記憶部が、複数の食品添加物の名称と、当該食品添加物の重量とを関連付けた一覧データを記憶し、制御部１１が操作入力部１４の操作情報に基づいて、食品添加物の名称の一覧データのうち、印字対象の前記食品添加物の名称および該食品添加物の重量を抽出し、抽出された食品添加物の名称および重量に基づいて、重量の重い順に食品添加物の名称を並び換えて、印字部３によりラベルに印字する処理を行ってもよい。
このように、一度、食品添加物の重量を入力設定して、ＲＡＭ１３などの記憶部に記憶させておき、制御部１１が、操作入力部１４の操作情報に基づいて、印字対象の食品添加物を選択することで、食品添加物の名称を重量の重い順に、必要に応じて重量と関連付けて印字することができる。
すなわち、今回設定以前に登録済みの食品添加物を一覧データにして読み出すという簡単な構成で、短時間に、食品添加物の名称や重量を設定し、且つ、設定ミスを防止することができるラベルプリンタ１００を提供することができる。
【００９４】
また、本発明の実施形態に係るラベルプリンタ１００は、ＲＡＭ１３などの記憶部が、予め規定された複数の食品添加物の名称と当該食品添加物の重量とが設定された一覧データを記憶し、制御部１１が、記憶部に記憶された一覧データを読み出し、一覧データを表示部１５に食品添加物と重量を選択可能に表示し、操作入力部１４の操作情報に基づいて、食品添加物の名称の一覧データのうち、印字対象の食品添加物の名称および該食品添加物の前記重量を抽出し、抽出された食品添加物の名称および重量に基づいて、重量の重い順に食品添加物の名称を並び換えて、印字部３によりラベルに印字する処理を行ってもよい。
こうすることにより、表示部１５が食品添加物と重量とを選択可能に表示し、操作入力部１４の操作情報により、印字対象の食品添加物が選択されると、その選択された食品添加物の名称と重量とを、重量の重い順に食品添加物の名称を並び換えて、印字部３によりラベルに印字することができる、簡単な構成のラベルプリンタ１００を提供することができる。
【００９５】
上記実施形態では、ラベルプリンタ１００は、記憶部としてＲＡＭ１３、ＲＯＭ１２を有しているが、この形態に限られるものではない。ラベルプリンタ１００は、記憶部として可搬型半導体メモリ、ハードディスクドライブなどを備えていてもよい。
【００９６】
また、上記実施形態では、商品毎に、その商品に含まれる食品添加物の名称および重量について、設定入力したがこの形態に限られるものではない。例えば、商品毎に、その商品に含まれる原材料の名称、およびその原材料に含まれる内容量（重量）などを入力設定してもよい。
【００９７】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【符号の説明】
【００９８】
１  ラベル用紙（用紙）
２  用紙搬送手段
３  印字部
４  断裁部
１０  器枠
１１  制御部（ＣＰＵ）
１２  ＲＯＭ（記憶部）
１３  ＲＡＭ（記憶部）
１４  操作入力部
１５  表示部
１６  インタフェース（Ｉ／Ｆ）
１７  通信部
２１  一覧表示処理部
２２  重量設定部
２３  強調表示処理部
２４  不使用添加物設定処理部
２５  抽出部
２６  複数商品選択部
２７  加算部
２８  並び換え処理部
２９  印字処理部
５１  名称
５２  入力欄
５３  単位表示ボタン
１００  ラベルプリンタ
１３１  一覧データ
１３２  印字データ
Ａ  ケース
【図１】
2014008647.tif 000003
【図２】
2014008647.tif 000004
【図３】
2014008647.tif 000005
【図４】
2014008647.tif 000006
【図５】
2014008647.tif 000007
【図６】
2014008647.tif 000008
【図７】
2014008647.tif 000009